(57)【特許請求の範囲】
【請求項１】
自転車のフレームに固定される取付け具と、ボトル型容器が保持される保持枠とを備えたボトル型容器保持具であって、
上記保持枠を、上記ボトル型容器の胴部を保持する上部枠体と、該ボトル型容器の底部を受け止める下部枠体とで構成し、
上記上部枠体と下部枠体の基端部を、上記取付け具の上端部と下端部に設けた各枢着部に対して上下回動自在に連結し、
上記上部枠体と下部枠体の遊端部を、上記各枢着部に連結された上部枠体と下部枠体の基端部間の距離と略同じ長さに形成した連結枠により連結し、
上記上部枠体と下部枠体を、上記取付け具の前方に向けて略水平に突出してなる上記ボトル型容器の保持が許容される保持形態と、
該下部枠体が取付け具前面に沿った状態に折り畳まれ、該下部枠体に対して上部枠体が重ね合わせた状態に折り畳まれる折畳み形態とに変形可能に設け、
上記ボトル型容器の底部が受け止められる大きさ及び形状に形成したＶ字状を有する受け枠の両端部を、上記上部枠体の遊端部に連結された連結枠よりも幅広となる間隔に隔てて下部枠体の遊端側両側縁部に連設し、
上記折畳み形態に変形した際に、上記受け枠の中央部に形成された上記連結枠が受け止められる受け部を、上記取付け具の下端側枢着部又は下部枠体の基端部に向けて形成した
ボトル型容器保持具。
【請求項２】
上記下部枠体を、上記取付け具の前方に向けて略水平に突出した角度に回動規制する規制手段を設けた
請求項１に記載のボトル型容器保持具。
【請求項３】
上記下部枠体の基端部に、上記連結枠が受け止められた上記受け枠の復元力に抗して、上記上部枠体の遊端部に対し係止される係止具を連結し、
上記受け枠の復元力により、上記上部枠体の遊端部を上記係止具に対して係止される方向へ付勢した
請求項１又は２に記載のボトル型容器保持具。
【請求項４】
上記ボトル型容器の側面と対向する保持枠の外面に、柔軟性を有するクッション部材を設けた
請求項１〜３に記載のボトル型容器保持具。
【請求項５】
上記ボトル型容器の側面と対向する保持枠の外面に、該ボトル型容器の大きさや形状に応じて弾性変位する押し当て部を設けた
請求項１〜４のいずれか一つに記載のボトル型容器保持具。
【請求項６】
上記自転車のフレームと対向する取付け具の装着面に、該取付け具の固定状態を維持するために必要な接触抵抗を付与する滑り止め部材を設けた
請求項１〜５のいずれか一つに記載のボトル型容器保持具。
【発明の詳細な説明】
【技術分野】
【０００１】
この発明は、例えば飲料水、スポーツ飲料等が充填されたボトル型容器を、自転車のフレームに装着するときに用いられるボトル型容器保持具に関する。
【背景技術】
【０００２】
従来、上述のような容器を保持する保持具としては、例えばカップを載せる際に、本体下端に設けた円板形状の受け皿と、本体上端に設けた環状の腕部とを、本体内部にセットしたスプリングの復元力に抗してカップの載置が許容される角度に回動する。また、カップを取り除くと、受け皿と腕部とがスプリングの復元力により本体に沿った角度に折り畳まれる特許文献１のカップホルダーがある。
【０００３】
しかし、カップに入れられた飲み物の残量が少なくなると、受け皿と腕部とがスプリングの復元力により自動的に折り畳まれてしまい、カップ内に残った飲み物が周囲に飛散することがある。また、カップの重量が付加されるまで、受け皿と腕部とをスプリングの復元力に抗してカップの載置が許容される角度に手で保持しなければならず、カップを載せるのに手間が掛かる。
【０００４】
他の保持具としては、例えばハンドルポスト或いはハンドルバー等の自転車を構成するフレームにブラケットを固定し、そのブラケットに設けたケージ本体でボトルを保持する特許文献２の自転車用ボトルケージがある。
【０００５】
しかし、ボトルを保持する必要がない場合、ボトルケージをフレームから取り外せばよいが、着脱作業に手間及び時間が掛かるため、ボトルケージを取り外すことなく自転車を運転するが、走行時や乗降時において、運転者の手や足等がボトルケージに接触したり、持ち物や衣服がボトルケージに引っ掛かる等して、自転車が転倒することがある。また、ボトルケージを、ダウンチューブやシートチューブ等のフレームに取り付けた場合、ケージ本体の円弧状抱持部に、履物や衣服が引っ掛かりやすく、走行及び運転の妨げとなる。
【特許文献１】意匠登録第１１８７０９７号公報
【特許文献２】実開昭５９−１２６７８５号公報
【発明の開示】
【発明が解決しようとする課題】
【０００６】
この発明は上記問題に鑑み、ボトル型容器の出し入れが容易に行える保持形態と、走行や運転が妨げられないコンパクトな折畳み形態に変形することができるボトル型容器保持具の提供を目的とする。
【課題を解決するための手段】
【０００７】
請求項１に記載した発明のボトル型容器保持具は、自転車のフレームに固定される取付け具と、ボトル型容器が保持される保持枠とを備えたボトル型容器保持具であって、上記保持枠を、上記ボトル型容器の胴部を保持する上部枠体と、該ボトル型容器の底部を受け止める下部枠体とで構成し、上記上部枠体と下部枠体の基端部を、上記取付け具の上端部と下端部に設けた各枢着部に対して上下回動自在に連結し、上記上部枠体と下部枠体の遊端部を、上記各枢着部に連結された上部枠体と下部枠体の基端部間の距離と略同じ長さに形成した連結枠により連結し、上記上部枠体と下部枠体を、上記取付け具の前方に向けて略水平に突出してなる上記ボトル型容器の保持が許容される保持形態と、該下部枠体が取付け具前面に沿った状態に折り畳まれ、該下部枠体に対して上部枠体が重ね合わせた状態に折り畳まれる折畳み形態とに変形可能に設け、上記ボトル型容器の底部が受け止められる大きさ及び形状に形成したＶ字状を有する受け枠の両端部を、上記上部枠体の遊端部に連結された連結枠よりも幅広となる間隔に隔てて下部枠体の遊端側両側縁部に連設し、上記折畳み形態に変形した際に、上記受け枠の中央部に形成された上記連結枠が受け止められる受け部を、上記取付け具の下端側枢着部又は下部枠体の基端部に向けて設けたことを特徴とする。
【０００８】
この発明によると、ボトル型容器保持具の取付け具を自転車のフレーム（例えばハンドルステム）に固定した後、保持枠の上部枠体と、下部枠体と、連結枠のいずれか一つを手で把持して取付け具の前方へ回動する。上部枠体と下部枠体の遊端部を連結枠により連結しているため、上部枠体と下部枠体が取付け具の前方に向けて略水平に突出する角度に一体的に回動され、ボトル型容器保持具を保持形態に変形することができる。
【０００９】
この後、例えば飲料水等が充填されたボトル型容器を、上部枠体と下部枠体に対して上方から挿入し、ボトル型容器の胴部を上部枠体により保持し、ボトル型容器の底部を下部枠体により受け止めることで、ボトル型容器を取り出し可能に収容及び保持することができる。
【００１０】
また、ボトル型容器保持具を折畳み形態に変形する場合、下部枠体を取付け具前面と対向する方向へ回動しながら、上部枠体の遊端部を連結枠により上方へ押し上げて、下部枠体を取付け具前面に沿った状態に折り畳む。  
この後、下部枠体の遊端部及び連結枠の下端部を、上端側枢着部の前方から後方へ移動させるか、上部枠体の基端部前方から後方へ移動させる等して、上部枠体を取付け具前面と対向する方向へ回動して、下部枠体を取付け具前面に沿った状態に折り畳んだ後、上部枠体を下部枠体に対して重ね合わせた状態に折り畳む際、上部枠体の遊端部に連結された連結枠を受け枠の受け部に入り込ませるので、上部枠体と下部枠体とを互いに重ね合わせるよりもコンパクトな大きさに折り畳むことができる。
【００１１】
上記自転車のフレームは、例えばハンドルステム、ハンドルポスト、ハンドルバー、ヘッドチューブ、トップチューブ、シートチューブ、ダウンチューブ等で構成することができる。また、ボトル型容器は、例えばプラスチック製のペットボトル、金属製の缶、ガラス製の瓶、保温容器等で構成することができる。また、ボトル型容器保持具は、上記フレーム以外の部分にも取り付けることもできるが、望ましくは、ボトル型容器が上方から挿入又は収容が許容される部分がよい。
【００１２】
また、取付け具、保持枠、枠体、連結枠は、例えばステンレス、アルミニウム、スチール等の単一金属又は複合金属で構成することができる。また、上部枠体と下部枠体は、ボトル型容器を保持するのに必要な剛性を有する金属製の線条体で構成することができる。また、保持枠を、金属以外の材質、例えばプラスチック、合成ゴム、木等の単一又は複合した材質で構成することもできる。
【００１３】
また、取付け具をフレームに固定する場合、例えば取付け具に装着した装着体をフレームに巻き付け、装着体の一端側及び他端側をネジ部材により締付ける方法と、具本体に設けた挿通孔を介して、フレームに設けたネジ孔にネジ部材を螺合する方法等により固定することができる。装着体やネジ部材に代わる固定手段として、例えばマグネット、面ファスナー、クランプ等により固定することもできる。
【００１４】
請求項２に記載した発明のボトル型容器保持具は、上記請求項１に記載の構成と併せて、上記下部枠体を、上記取付け具の前方に向けて略水平に突出した角度に回動規制する規制手段を設けたことを特徴とする。
【００１５】
この発明によると、例えば突起、凸部、ピン等の規制手段により、上部枠体が取付け具前方に向けて略水平に突出した角度よりも下方へ回動しようとするのを防止し、ボトル型容器を保持するのに適した角度(図２参照)に回動規制する。
【００１６】
請求項３に記載した発明のボトル型容器保持具は、上記請求項１又は２に記載の構成と併せて、上記下部枠体の基端部に、上記連結枠が受け止められた上記受け枠の復元力に抗して、上記上部枠体の遊端部に対し係止される係止具を連結し、上記受け枠の復元力により、上記上部枠体の遊端部を上記係止具に対して係止される方向へ付勢したことを特徴とする。
【００１７】
この発明によると、上部枠体と下部枠体とを重ね合わせた折畳み形態に変形した際、上部枠体の遊端部に連結された連結枠を、下部枠体に連設された受け枠の受け部で受け止めるとともに、その受け枠の復元力に抗して、上部枠体の遊端部に係止具を係止して折畳み形態を保持する。 
つまり、受け枠の復元力により、上部枠体の遊端部を係止具に対して係止される方向へ付勢しているので、係止具による係止が解除されるまで、上部枠体と下部枠体とを交互に折り畳んだ状態に保持することができる。
【００１８】
また、受け枠の復元力に抗して、上部枠体の遊端部を係止具に対する係止が解除される方向へ押し下げなければ、係止具による係止が解除されず、上部枠体と下部枠体との折畳み形態を保持することができる。例えば自転車のフレームに取り付けた際、走行中に付与される振動や衝撃により、上部枠体と下部枠体とが保持形態に変形しようとするのを防止することができる。
【００１９】
請求項４に記載した発明のボトル型容器保持具は、上記請求項１〜３のいずれか一つに記載の構成と併せて、上記ボトル型容器の側面と対向する保持枠の外面に、柔軟性を有するクッション部材を取り付けたことを特徴とする。
【００２０】
この発明によると、走行時に付与される振動や衝撃がクッション部材により吸収・緩和される。また、ボトル型容器が保持枠の外に飛び出そうとするのをクッション部材の接触抵抗により防止する。
【００２１】
請求項５に記載した発明のボトル型容器保持具は、上記請求項１〜４のいずれか一つに記載の構成と併せて、上記ボトル型容器の側面と対向する保持枠の外面に、該ボトル型容器の大きさや形状に応じて弾性変位する押し当て部を設けたことを特徴とする。
【００２２】
この発明によると、ボトル型容器の大きさや形状に応じて保持枠の押し当て部が弾性変位し、様々な大きさを有するボトル型容器の保持を許容する。また、押し当て部の復元力によりボトル型容器を安定した状態に保持する。
【００２３】
請求項６に記載した発明のボトル型容器保持具は、上記請求項１〜５のいずれか一つに記載の構成と併せて、上記自転車のフレームと対向する取付け具の装着面に、該取付け具の固定状態を維持するのに必要な接触抵抗を有する滑り止め部材を取り付けたことを特徴とする。
【００２４】
この発明によると、取付け具の滑り止め部材を、自転車のフレーム外面に押し付けて固定するので、ボトル型容器保持具の固定状態が滑り止め部材の接触抵抗により維持され、取付け位置及び取付け角度が安定する。なお、クッション部材や滑り止め部材は、例えばウレタンゴム、スポンジゴム等の柔軟性を有する弾性体で構成することができる。
【発明の効果】
【００２５】
この発明によれば、ボトル型容器保持具の取付け具を自転車のフレームに固定した後、保持枠の上部枠体と下部枠体を取付け具前方に向けて略水平に突出した角度に回動して、ボトル型容器の保持が許容される保持形態に変形するので、飲料水が充填されたボトル型容器の出し入れが容易に行えるとともに、走行中や停車時おいて、ボトル型容器を保持枠から取り出して即水分補給することができる。
【００２６】
また、上部枠体と下部枠体を取付け具前面と対向する方向へ回動して、下部枠体を取付け具前面に沿った状態に折り畳んだ後、上部枠体を下部枠体に対して重ね合わせた状態に折り畳むので、コンパクトな大きさに折り畳むことができ、折畳み時の嵩が低くなるため、例えば梱包時、運搬時等における収容スペースが小さくて済み、運搬及び保管したり、携帯するのに大変便利である。
【００２７】
また、走行中や乗降時において、例えば運転者の手や足等が保持枠に接触したり、衣服や持ち物等が保持枠に引っ掛かったりするのを防止することができ、走行や運転が妨げられず、快適な走行が楽しめる。
【発明を実施するための最良の形態】
【００２８】
この発明は、ボトル型容器の出し入れが容易に行える保持形態と、走行や運転が妨げられないコンパクトな折畳み形態に変形することができるという目的を、保持枠の上部枠体と下部枠体を取付け具前面と対向する方向へ交互に折り畳んで、上部枠体を下部枠体に対して重ね合わせ状態に折り畳むことで達成した。
【実施例】
【００２９】
この発明の一実施例を以下図面に基づいて詳述する。  
図面は、自転車を構成するフレームのハンドルステムに取り付けられるボトルケージ型のボトル型容器保持具を示し、図１に於いて、このボトル型容器保持具１は、自転車ＡのハンドルステムＡａに固定する取付け具２と、プラスチック製のボトル型容器Ｂを保持する保持枠３で構成される。また、保持枠２は、上部枠体３Ａと、下部枠体３Ｂと、連結枠３Ｃと、係止具３Ｄで構成される。
【００３０】
上記取付け具２と保持枠３は、例えばステンレス、スチール等の金属により構成している。また、金属自体の意匠感に代えて、例えばメッキや塗装等の表面処理を施してもよい。なお、ボトル型容器Ｂを保持するのに必要な剛性を有するものであれば金属以外の材質により構成することもできる。
【００３１】
取付け具２は、図２、図３にも示すように、上部枠体３Ａと下部枠体３Ｂを上下方向に対して所定間隔に隔てられた状態に支持するのに必要な剛性を有する金属板により形成され、上部枠体３Ａの基端部が連結される枢着部２Ａを具本体２ａの前面側上端部に設け、下部枠体３Ｂの基端部が連結される枢着部２Ｂを具本体２ａの前面側上端部に設けている。
【００３２】
また、具本体２ａの前面側上部と前面側下部には、図１１にも示すように、後述するネジ部材６のネジ部分が挿通され、ネジ頭が係止される孔径の挿通孔２ｂ，２ｂを、ハンドルステムＡａ外面に設けたネジ孔Ａｂ，Ａｂと対応する間隔に隔てて設けている。一方（又は両方）の挿通孔２ｂは具本体２ａと平行して縦長に形成しているので、車種によってネジ孔Ａｂの位置が多少異なっても、縦長の挿通孔２ｂにより対応できる範囲であれば取付け可能である。
【００３３】
上記取付け具２をハンドルステムＡａに固定する場合、図１〜図３に示す上方から見て略Ｃ字状に湾曲した装着体４，４と、図１１に示すネジ部材６，６のいずれか一方の固定手段により固定することができる。
【００３４】
装着体４，４は、図１〜図３にも示すように、ハンドルステムＡａ外面に沿った状態に巻付け可能な厚み及び剛性を有する金属板で形成している。また、装着体４の前面側中央部は具本体２ａ前面に対して幅方向に装着が許容される段付き形状に形成し、装着体４の中央部から両端部に至る部分はハンドルステムＡａ外面と略対応する曲率半径に湾曲している。
【００３５】
また、装着体４の湾曲側両端部を外側に折り曲げて形成した一方の突出側端部には、ネジ部材５のネジ部分が螺合されるネジ孔４ａを設けている。また、他方の突出側端部には、ネジ部材５のネジ部分が挿通される挿通孔４ｂを設けている。
【００３６】
装着体４，４により取付け具２をハンドルステムＡａに固定する場合、具本体２ａ後面を自転車ＡのハンドルステムＡａ外面に押し付け、具本体２ａの前面側上部及び前面側下部に対して前方から装着した装着体４，４をハンドルステムＡａに巻き付けて、装着体４の突出側両端部を互いに近接又は対向する。この後、ネジ部材５，５を、一端側の挿通孔４ｂ，４ｂを介して、他端側のネジ孔４ａ，４ａに螺合し、ネジ部材５，５の締付け力により装着体４，４をハンドルステムＡａ外面に巻付け固定する。
【００３７】
ネジ部材６により取付け具２をハンドルステムＡａに固定する場合、図１１に示すように、ネジ部材６，６を、具本体２ａの挿通孔２ｂ，２ｂを介して、ハンドルステムＡａ外面に設けたネジ孔Ａｂ，Ａｂに螺合し、ネジ部材６，６の締付け力により取付け具２をハンドルステムＡａに対して一体的に締付け固定する。
【００３８】
また、装着体４やネジ部材６に代わる固定手段として、例えばマグネット、面ファスナー、クランプ等により固定することもできる。また、装着体４の中央部を、例えば溶接、接着、リベット止めする等して具本体２ａに対して一体的に固定しておいてもよい。
【００３９】
上記枢着部２Ａは、具本体２ａの上端側両縁部に連設した左右一対の支持片２Ａａ，２Ａａを前方に向けて略直角に折り曲げるとともに、上部枠体３Ａの基端部が上下回動自在に枢支される孔部２Ａｂ，２Ａｂを、支持片２Ａａ，２Ａａの対向面に連通して設けている。
【００４０】
枢着部２Ｂは、上記枢着部２Ａと同様に、具本体２ａの下端側両縁部に連設した左右一対の支持片２Ｂａ，２Ｂａを前方に向けて略直角に折り曲げるとともに、下部枠体３Ｂの基端部が上下回動自在に枢支される孔部２Ｂｂ，２Ｂｂを、支持片２Ｂａ，２Ｂａの対向面に連通して設けている。
【００４１】
また、支持片２Ｂａ，２Ｂａの孔部２Ｂｂ，２Ｂｂよりも下位側縁部に連設した規制片２Ｂｃ，２Ｂｃは、支持片２Ｂａ，２Ｂａの前端側下縁部を相対向する方向に向けて略直角に折り曲げるとともに、具本体２ａの前方に向けて略水平に突出する角度に回動した下部枠体３Ｂの基端部に対して当接される長さに設けている。
【００４２】
つまり、下部枠体３Ｂの基端側縁部を規制片２Ｂｃ，２Ｂｃに当接して、連結枠３Ｃにより連結した上部枠体３Ａと下部枠体３Ｂを、取付け具２の前方に向けて略水平に突出した角度に回動規制し、ボトル型容器Ａが受け止められる保持形態を保持する。且つ、上部枠体３Ａと下部枠体３Ｂが取付け具２の前方に向けて略水平に突出した角度よりも下方に回動しようとするのを防止する。
【００４３】
また、支持片２Ｂａ，２Ｂａの孔部２Ｂｂ，２Ｂｂよりも上位側対向面に設けた略半球状の突起２Ｂｄ，２Ｂｄは、下部枠体３Ｂの基端側縁部と対向して支持片２Ｂａ，２Ｂａの内側対向面にそれぞれ突設するとともに、下部枠体３Ｂの基端側縁部に対して係止抵抗が付与される大きさ及び形状に形成している。
【００４４】
つまり、下部枠体３Ｂの基端部を材料弾性に抗して内側に変形させながら、支持片２Ｂａ，２Ｂａの突起２Ｂｄ，２Ｂｄ上を乗り越えさせることにより、図５に示す折畳み形態と、図２に示す保持形態に下部枠体３Ｂの上下回動が許容される。
【００４５】
下部枠体３Ｂを具本体２ａの前方に向けて略水平に突出する角度に回動して、下部枠体３Ｂの基端側縁部を規制片２Ｂｃ，２Ｂｃに当接すると、規制片２Ｂｃ，２Ｂｃに当接する下部枠体３Ｂの基端側上縁部に対して突起２Ｂｄ，２Ｂｄが係止され、上部枠体３Ａと下部枠体３Ｂが図２に示す保持形態に回動規制される。
【００４６】
前記保持枠３は、図１〜図３にも示すように、ボトル型容器Ｂを保持するのに必要な剛性を有する金属製の線条体により形成され、ボトル型容器Ｂの胴部を保持する上部枠体３Ａと、ボトル型容器Ｂの底部を受け止める下部枠体３Ｂと、上部枠体３Ａと下部枠体３Ｂの遊端部を連結する連結枠３Ｃと、上部枠体３Ａと下部枠体３Ｂの折畳み状態を保持する係止具３Ｃで構成している。また、ボトル型容器Ｂの外面と対向する部分をプラスチックで被覆又は形成してもよい。
【００４７】
上部枠体３Ａと下部枠体３Ｂは、金属製の線条体により上方から見て略Ｃ字状となるように折り曲げ形成している。また、例えば略丸形状、略六角形、略四角形等の様々な平面視形状を有するボトル型容器Ｂの保持が許容されるとともに、略真上や略斜め上方に対してボトル型容器Ｂの出し入れが容易に行えるような大きさ及び形状に開口している。
【００４８】
また、上部枠体３Ａと下部枠体３Ｂを、上述のような様々な平面視形状を有するボトル型容器Ｂと略対応する大きさ及び形状に形成するか、様々な大きさ及び形状を有するボトル型容器Ｂの外径、横幅等に応じて拡縮調節自在に設けることもできる。或いは、例えば保温用カバーや保温用ケース等に入れられたボトル型容器Ｂを保持することが可能な大きさ及び形状に設けることもできる。
【００４９】
上部枠体３Ａの開放側基端部は、図８にも示すように、略Ｃ字状に開放してなる両端部を、枢着部２Ａの支持片２Ａａ，２Ａａ間に対して挿入が許容される方向及び間隔に折り曲げるとともに、枢着部２Ａの支持片２Ａａ，２Ａａに設けた孔部２Ａｂ，２Ａｂと相対向する方向に向けて略直角に折り曲げている。且つ、上記両端部を、支持片２Ａａ，２Ａａの孔部２Ａｂ，２Ａｂに対して内側からそれぞれ挿通し、孔部２Ａｂ，２Ａｂの外側に突出した上部枠体３Ａの両端部をカシメ加工して抜止めするか、抜止め部材を取り付ける等して上下回動自在に連結している。
【００５０】
一方、下部枠体３Ｂの開放側基端部は、図３にも示すように、上記上部枠体３Ａと同様に、略Ｃ字状に開放してなる両端部を、枢着部２Ｂの支持片２Ｂａ，２Ｂａ間に対して挿入が許容される方向及び間隔に折り曲げるとともに、支持片２Ｂａ，２Ｂａに設けた孔部２Ｂｂ，２Ｂｂと相対向する方向に向けて略直角に折り曲げている。且つ、上記両端部を、支持片２Ｂａ，２Ｂａの孔部２Ｂｂ，２Ｂｂに対して内側からそれぞれ挿通し、孔部２Ｂｂ，２Ｂｂの外側に突出した下部枠体３Ｂの両端部をカシメ加工して抜止めするか、抜止め部材を取り付ける等して上下回動自在に連結している。
【００５１】
上部枠体３Ａと下部枠体３Ｂの遊端部間を連結する棒状又は板状の連結枠３Ｃは、取付け具２の枢着部２Ａ，２Ｂに連結された上部枠体３Ａと下部枠体３Ｂの基端部間の距離と略同じ長さ又はわずかに短尺となる長さに形成している。あるいは、わずかに長尺となる長さに形成してもよい。
【００５２】
また、連結枠３Ｃの上端部は、上部枠体３Ａの遊端側中央縁部を外方に向けて突出した上方から見て略弧状の突出部３Ａａに対して上下回動自在に連結している。一方、連結枠３Ｃの下端部は、下部枠体３Ｂの遊端側中央縁部を外方に向けて突出した上方から見て略弧状の突出部３Ｂａに対して上下回動自在に連結している。
【００５３】
係止具３Ｄ（例えばフック）は、図３にも示すように、金属製の線条体により上方から見て略Ｖ字状（又は略Ｕ字状）となるように折り曲げ形成され、図５、図６に示す折畳み形態に折り畳まれた上部枠体３Ａの遊端部又は連結枠３Ｃの上端部に対する係止が許容される大きさ及び形状に設けている。
【００５４】
また、係止具３Ｄの開放側両端部を、枢着部２Ｂの支持片２Ｂａ，２Ｂａよりも幅広となる間隔に開角するとともに、支持片２Ｂａ，２Ｂａよりも外側において下部枠体３Ｂの基端側周縁部に対して巻き付け、係止具３Ｄ下部枠体３Ｂと対向する方向へ折り畳まれた上部枠体３Ａの遊端部又は連結枠３Ｃの上端部に対して係止される係止状態と、その係止が解除される解除状態とに上下揺動自在に設けている。
【００５５】
また、係止具３Ｄの両端部を、枢着部２Ｂの支持片２Ｂａ，２Ｂａに対して上下回動自在に連結してもよい。また、係止具３Ｄに代わる折畳み保持手段として、例えば止め金、ベルト、紐等により保持することもできる。
【００５６】
下部枠体３Ｂの遊端側に連設した受け枠３Ｂｂは、金属製の線条体により上方から見て略Ｖ字状（又は略Ｕ字状）となるように折り曲げ形成され、ボトル型容器Ａの底部が受け止められる大きさ及び形状に形成している。
【００５７】
受け枠３Ｂｂの開角側両端部を下部枠体３Ｂの遊端側両側縁部と対向する方向に向けて略直角に折り曲げるとともに、連結枠３Ｃの横幅又は外径よりも幅広となる間隔に隔てて下部枠体３Ｂの遊端側両側縁部に対して一体的に連設している。
【００５８】
つまり、略Ｖ字状の受け枠３Ｂｂを、下部枠体３Ｂの基端側から遊端側に向けて広くなる向きに配置するとともに、連結枠３Ｃが受け止められる受け枠３Ｂｂの中央部に形成した鋭角形状の受け部３Ｂｃを、取付け具２の下端側枢着部２Ｂ又は下部枠体３Ｂの基端部に対してなるべく近接して設けている。つまり、受け部３Ｂｃを、取付け具２の枢着部２Ｂ又は下部枠体３Ｂの基端部に近寄らせるほど、上部枠体３Ａを下部枠体３Ｂに対して重ね合わせた状態に折り畳むことができる。
【００５９】
図示実施例は上記の如く構成するものにして、以下、ボトル型容器保持具１によるボトル型容器Ｂの保持方法を説明する。
【００６０】
先ず、図１〜図３にも示すように、具本体２ａ後面をハンドルステムＡａ外面に押し付け、取付け具２前面に装着した装着体４，４をハンドルステムＡａに巻き付けた後、ネジ部材５を、装着体４の一端側挿通孔４ｂを介して、他端側ネジ孔４ａ，４ａに螺合して締付け固定することで、保持枠３の上部枠体３Ａを上方に配置し、下部枠体３Ｂを下方に配置した取付け状態に、ボトル型容器保持具１を自転車ＡのハンドルステムＡａに固定する。
【００６１】
また、図１１に示すように、ネジ部材６，６を、具本体２ａの挿通孔２ｂ，２ｂを介して、ハンドルステムＡａのネジ孔Ａｂ，Ａｂに螺合して固定することもできる。
【００６２】
ボトル型容器保持具１を保持形態に変形する場合、図６に示す折畳み形態に変形した上部枠体３Ａの遊端部又は連結枠３Ｃの上端部を、受け枠３Ｂｂの復元力に抗して、係止具３Ｄの係止が解除される方向へ押し下げながら、係止具３Ｄを下方に回動(図５中仮想線で示す)して 上部枠体３Ａの遊端部又は連結枠３Ｃの上端部に対する係止を解除する。
【００６３】
図４に示すように、上部枠体３Ａを取付け具２の前方に向けて略水平に突出した角度よりも上方へ回動すると、上部枠体３Ａ及び下部枠体３Ｂの復元力により、上部枠体３Ａが連結枠３Ｃにより押し上げられ、斜め上向きに起立した状態に回動する。
【００６４】
この後、上部枠体３Ａと、下部枠体３Ｂと、連結枠３Ｃのいずれか一つを手で把持して取付け具２の前方へ回動する。つまり、上部枠体３Ａと下部枠体３Ｂの遊端部を連結枠３Ｃにより連結しているため、上部枠体３Ａ及び下部枠体３Ｂが取付け具２の前方へ一体的に回動することができる。
【００６５】
下部枠体３Ｂの開放側基端部を材料弾性に抗して内側に変形させながら、枢着部２Ｂの突起２Ｂｄ，２Ｂｄを乗り越えさせる。下部枠体３Ｂの基端側縁部を枢着部２Ｂの規制片２Ｂｃ，２Ｂｃに当接して、上部枠体３Ａと下部枠体３Ｂを、取付け具２の前方に向けて略水平に突出してなるボトル型容器Ａの保持が許容される保持形態（図１、図２参照）に回動規制する。
【００６６】
且つ、突起２Ｂｄ，２Ｂｄを、規制片２Ｂｃ，２Ｂｃに当接した下部枠体３Ｂの基端側縁部（図３参照）に係止して、上部枠体３Ａと下部枠体３Ｂが上方へ回動しようとするのを防止する。
【００６７】
図８に示すように、飲料水が充填されたボトル型容器Ｂを、保持枠３の上部枠体３Ａと下部枠体３Ｂに対して上方から挿入し、ボトル型容器Ｂの胴部を上部枠体３Ａにより保持し、ボトル型容器Ｂの底部を下部枠体３Ｂの受け枠３Ｂｂにより受け止めるので、走行中や停車時おいて、ボトル型容器Ｂを保持枠３の上部枠体３Ａ及び下部枠体３Ｂから引き抜いて水分補給することができる。
【００６８】
また、上部枠体３Ａの遊端部を連結枠３Ｃにより支持しているので、ボトル型容器Ｂを上方から挿入する際に、上部枠体３Ａが下方へ回動するのを防止することができ、取付け具２の前方に向けて略水平に突出した状態を保つことができる。
【００６９】
次に、ボトル型容器保持具１を折畳み形態に変形する場合、図４に示すように、下部枠体３Ｂを上方へ回動（取付け具２前面と対向する方向）して、取付け具２前面に沿った状態に折り畳む。
【００７０】
つまり、上部枠体３Ａと下部枠体３Ｂの遊端部を連結枠３Ｃにより連結しているため、下部枠体３Ｂの遊端部を上方へ回動して、取付け具２の枢着部２Ａ及び上部枠体３Ａの基端部に近接すると、上部枠体３Ａの遊端部が連結枠３Ｃにより押し上げられ、上方へ回動する。
【００７１】
下部枠体３Ｂの遊端部及び連結枠３Ｃの下端部を、枢着部２Ａの前方から後方へ移動させるか、上部枠体３Ａの基端部前方から後方へ移動させながら、上部枠体３Ａの遊端部を下方へ回動して、上部枠体３Ａの遊端部に連結した連結枠３Ｃを、受け枠３Ｂｂの谷間部分に入り込ませて受け部３Ｂｃの内周縁部に当接するか受け止めるので、図５、図６に示すように、上部枠体３Ａを下部枠体３Ｂに対して重ね合わせ状態に折り畳むことができる。
【００７２】
この後、受け枠３Ｂｂの復元力に抗して、上部枠体３Ａの遊端部又は連結枠３Ｃの上端部を、係止具３Ｄの係止が許容される高さに押し下げながら、係止具３Ｄを上方へ回動して、下部枠体３Ｂに対して重ね合わせた状態に折り畳まれた上部枠体３Ａの遊端部又は連結枠３Ｃの上端部に係止するので、上部枠体３Ａと下部枠体３Ｂを折畳み形態に保持することができる。
【００７３】
また、受け枠３Ｂｂの復元力により、上部枠体３Ａの遊端部又は連結枠３Ｃの上端部を、係止具３Ｄに対して係止される方向へ常時付勢しているので、受け枠３Ｂｂの復元力に抗して、上部枠体３Ａの遊端部又は連結枠３Ｃの上端部を、係止具３Ｄの係止が解除される方向へ押し下げなければ、係止具３Ｄによる係止が解除されず、上部枠体３Ａと下部枠体３Ｂの折畳み形態を保持することができる。つまり、走行中に付与される振動や衝撃により、上部枠体３Ａと下部枠体３Ｂが保持形態に変形しようとするのを防止することができる。
【００７４】
また、上部枠体３Ａと下部枠体３Ｂを図７に示す起立形態に折り畳むこともできる。図４に示す斜め上向きに起立した上部枠体３Ａを枢着部２Ａよりも後方へ回動する際に、上部枠体３Ａと下部枠体３Ｂの遊端部間を連結枠３Ｃにより連結しているため、上部枠体３Ａの遊端部は材料弾性に抗して縮径される方向に引っ張られ、下部枠体３Ｂの遊端部は材料弾性に抗して拡径される方向に引っ張られる。
【００７５】
つまり、連結枠３Ｃが、上部枠体３Ａと下部枠体３Ｂが一直線となる限界点を乗り越えるとき、上部枠体３Ａと下部枠体３Ｂが材料弾性に抗して径方向に変形するので、上部枠体３Ａの後方への回動が許容され、上部枠体３Ａと下部枠体３Ｂを起立形態に折り畳むことができる。
【００７６】
上部枠体３Ａと下部枠体３Ｂが前方へ回動しようとしても、連結枠３Ｃを、上部枠体３Ａと下部枠体３Ｂが一直線となる限界点を乗り越えさせて、上部枠体３Ａと下部枠体３Ｂを材料弾性に抗して径方向に変形させなければ、枢着部２Ａの前方への回動が許容されず、上部枠体３Ａと下部枠体３Ｂを起立形態に保持することができる。
【００７７】
以上のように、ボトル型容器保持具１の取付け具２を自転車ＡのハンドルステムＡａに固定し、保持枠３の上部枠体３Ａと下部枠体３Ｂを取付け具２前方に向けて略水平に突出した角度に回動して、ボトル型容器Ｂの保持が許容される保持形態に変形するので、飲料水が充填されたボトル型容器Ｂの出し入れが容易に行えるとともに、走行中や停車時おいて、ボトル型容器Ｂを上部枠体３Ａと下部枠体３Ｂから取り出して即水分補給することができる。
【００７８】
また、ボトル型容器Ｂを保持しない場合、保持枠３の上部枠体３Ａと下部枠体３Ｂを取付け具２前面と対向する方向へ回動して、下部枠体３Ｂを取付け具２前面に沿った状態に折り畳んだ後、上部枠体３Ａを下部枠体３Ｂに対して重ね合わせた状態に折り畳むので、コンパクトな大きさに折り畳むことができ、折畳み時の嵩が低くなるため、例えば梱包時、運搬時における収容スペースが小さくて済み、運搬及び保管したり、携帯するのに大変便利である。また、走行中や乗降時において、運転者の手や足等が保持枠３に接触したり、衣服や持ち物等が保持枠３に引っ掛かったりするのを防止することができ、走行や運転が妨げられず、快適な走行が楽しめる。
【００７９】
図９、図１０は、ボトル型容器Ａを受け止めるための一対の受け枠３Ｂｂ，３Ｂｂを、連結枠３Ｃの通り抜けが許容される間隔に隔てて下部枠体３Ｂの両側縁部に設けた他の例を示し、上方から見て略く字状に形成した一対の受け枠３Ｂｂ，３Ｂｂを、下部枠体３Ｂの両側縁部に対して左右対称に配置するとともに、連結枠３Ｃの横幅又は外径よりも幅広となる間隔に隔てて下部枠体３Ｂの両側縁部に対して一体的に連設している。
【００８０】
保持枠２の下部枠体３Ｂを取付け具２前面と対向する方向へ折り畳んだ後、上部枠体３Ａを下部枠体３Ｂに対して重ね合わされる方向へ回動する際に、上部枠体３Ａの遊端部に連結した連結枠３Ｃが下部枠体３Ｂの受け枠３Ｂｂ，３Ｂｂ間を通り抜けるため、上部枠体３Ａの遊端部が取付け具２の枢着部２Ｂと下部枠体３Ｂの基端部に対して近接され、上部枠体３Ａを、下部枠体３Ｂに対して重ね合わせた状態に折り畳むことができる。
【００８１】
つまり、折畳み時において、上部枠体３Ａの遊端部が下部枠体３Ｂの受け枠３Ｂｂよりも外側に突出せず、その突出が減少した寸法分だけ、ボトル型容器保持具１を、図５に示す折畳み形態よりもコンパクトな大きさに折り畳むことができ、折畳み時の嵩が低くなる。且つ、上記実施例と略同等の作用及び効果を奏することができる。また、複数の受け枠３Ｂｂ…を、連結枠３Ｃの通り抜けが許容される間隔に隔てて下部枠体３Ｂの両側周縁部に沿って配列してもよい。
【００８２】
図１２は、柔軟性を有するクッション部材７を、ボトル型容器Ｂの側面と対向する保持枠３外面に取り付けたボトル型容器保持具１の他の例を示し、クッション部材７は、下部枠体３Ｂ及び受け枠３Ｂｂと、図示しない上部枠体３Ａの外周面に被覆又は装着している。
【００８３】
つまり、走行時に付与される振動や衝撃が上部枠体３Ａと下部枠体３Ｂに装着したクッション部材７，７により吸収・緩和され、ボトル型容器Ｂのガタ付き、損傷等が防止される。また、ボトル型容器Ｂが保持枠３外方に飛び出そうとするのをクッション部材７の接触抵抗により防止することができ、上記実施例と略同等の作用及び効果を奏することができる。
【００８４】
また、ボトル型容器保持具１の固定状態を維持するのに必要な接触抵抗を有する滑り止め部材８を、ハンドルステムＡａの外面と対向して取付け具２と装着体４，４の装着面にそれぞれ取り付けている。
【００８５】
取付け具２と装着体４，４の装着面に装着した滑り止め部材８を、ハンドルステムＡａの外面に押し付けて固定すれば、ボトル型容器保持具１の取付け位置及び取付け角度が滑り止め部材８の接触抵抗により維持され、ボトル型容器Ｂを安定した状態に保持することができる。なお、クッション部材７及び滑り止め部材８は、例えばウレタンゴム、スポンジゴム等の柔軟性を有する弾性体で構成している。
【００８６】
図１３は、ボトル型容器Ｂの大きさや形状に応じて弾性変位する押し当て部１２を、ボトル型容器Ｂの側面と対向する保持枠３外面に取り付けたボトル型容器保持具１の他の例を示し、柔軟性を有する弾性体で形成した押し当て部１２は、図９に示す上部枠体３Ａと図示しない下部枠体３Ｂの外周面に対して円周方向へ所定間隔に隔てて複数設けている。
【００８７】
つまり、ボトル型容器Ｂの大きさや形状に応じて上部枠体３Ａと下部枠体３Ｂに設けた押し当て部１２…が弾性変位するので、様々な大きさや形状を有するボトル型容器Ｂの保持することができる。また、押し当て部１２…の復元力によりボトル型容器Ｂを安定した状態に保持することができ、上記実施例と略同等の作用及び効果を奏することができる。また、押し当て部１２を、上部枠体３Ａと下部枠体３Ｂの一部により構成することもできる。
【００８８】
この発明の構成と、上述の実施例との対応において、  
この発明の規制手段は、実施例の規制片２Ｂｃ、突起２Ｂｄに対応し、  
以下同様に、  
折畳み保持手段は、係止具３Ｄに対応するも、  
この発明は、上述の実施例の構成のみに限定されるものではなく、請求項に示される技術思想に基づいて応用することができ、多くの実施の形態を得ることができる。
【００８９】
実施例では、ボトル型容器保持具１をハンドルステムＡａに取り付けた例を説明したが、例えばハンドルバー、ハンドルポスト、ヘッドチューブ、トップチューブ、シートチューブ、ダウンチューブ等に取り付けることもできる。
【図面の簡単な説明】
【００９０】
【図１】ボトル型容器保持具の保持形態を示す斜視図。
【図２】ボトル型容器保持具の保持形態を示す側面図。
【図３】取付け具と下部枠体の取付け構造を示す横断平面図。
【図４】保持枠の折畳み途中を示す側面図。
【図５】保持枠の折畳み状態を示す側面図。
【図６】図５の保持枠の折畳み状態を示す正面図。
【図７】保持枠の起立状態を示す側面図。
【図８】ボトル型容器の保持状態を示す側面図。
【図９】保持枠の他の折畳み状態を示す正面図。
【図１０】図９の折畳み状態を示す側面図。
【図１１】取付け具の他の固定方法を示す斜視図。
【図１２】クッション部材、滑り止め部材を設けた他の例を示す横断平面図。
【図１３】押し当て部を取り付けたその他の例を示す横断平面図。
【符号の説明】
【００９１】
Ａ…自転車
Ａａ…ハンドルステム
Ｂ…ボトル型容器
１…ボトル型容器保持具
２…取付け具
２ａ…具本体
２ｂ…挿通孔
２Ａ，２Ｂ…枢着部
２Ｂｃ…規制片
２Ｂｄ…突起
３…保持枠
３Ａ…上部枠体
３Ｂ…下部枠体
３Ｂｂ…受け枠
３Ｃ…連結枠
３Ｄ…係止具
４…装着体
５，６…ネジ部材
７…クッション部材
８…滑り止め部材
１２…押し当て部
【図１】
0004637048.tif 000002
【図２】
0004637048.tif 000003
【図３】
0004637048.tif 000004
【図４】
0004637048.tif 000005
【図５】
0004637048.tif 000006
【図６】
0004637048.tif 000007
【図７】
0004637048.tif 000008
【図８】
0004637048.tif 000009
【図９】
0004637048.tif 000010
【図１０】
0004637048.tif 000011
【図１１】
0004637048.tif 000012
【図１２】
0004637048.tif 000013
【図１３】
0004637048.tif 000014